【手続補正書】
【提出日】平成19年9月21日(2007.9.21)
【手続補正１】
【補正対象書類名】特許請求の範囲
【補正対象項目名】全文
【補正方法】変更
【補正の内容】
【特許請求の範囲】
【請求項１】
ホログラムを書き込みおよび読み出す装置であって、
位相モードで動作することができ、複数のピクセルを有し、各ピクセルが参照光と重なり合う物体光を生成する空間光変調器（ＳＬＭ）と、
前記物体光の経路に位置するホログラフィック記録媒体（ＨＲＭ）と、
前記ＳＬＭと前記ＨＲＭとの間の前記物体光の経路に配置された第１のレンズ素子とを備え、
前記ＨＲＭが、前記第１のレンズ素子のフーリエ変換平面またはその近傍に配置されている、ホログラムの書き込みおよび読み出し装置。
【請求項２】
請求項１において、さらに、
前記物体光の光学経路に配置された偏光フィルタを備えた、ホログラムの書き込みおよび読み出し装置。
【請求項３】
請求項２において、前記偏光フィルタが、偏光ビーム・スプリッタ、非偏光ビーム・スプリッタ、偏光子、波長板もしくはリターダ、またはこれらの組み合わせであるホログラムの書き込みおよび読み出し装置。
【請求項４】
請求項１において、前記ＳＬＭが、強誘電性液晶ＳＬＭであるホログラムの書き込みおよび読み出し装置。
【請求項５】
請求項１において、さらに、
ホログラムを読み取る光検出器と、
前記ホログラフィック記録媒体と前記光検出器との間の光学経路に配置された第２のレンズ素子とを備えた、ホログラムの書き込みおよび読み出し装置。
【請求項６】
請求項１において、前記ＳＬＭが、任意的に振幅モードで動作可能であるホログラムの書き込みおよび読み出し装置。
【請求項７】
請求項６において、前記ＳＬＭが２値振幅モードで動作するホログラムの書き込みおよび読み出し装置。
【請求項８】
請求項１において、前記ＳＬＭの各ピクセルが第１の状態および第２の状態のいずれかにあり、第１の状態にあるピクセルの数が、第２の状態にあるピクセルの数と等しいホログラムの書き込みおよび読み出し装置。
【請求項９】
請求項２において、前記ＳＬＭの各ピクセルが第１の状態および第２の状態のいずれかにあり、前記ＳＬＭの各ピクセルから反射されるか、または前記ＳＬＭの各ピクセルを通って伝播され、さらに前記偏光フィルタを通過する、光の波面の位相が、前記ピクセルの状態に応じてφだけ変化し、ただし、０≦φ≦２πである、ホログラムの書き込みおよび読み出し装置。
【請求項１０】
請求項９において、φ＝２π×ｎ／ｍであり、ただし、ｎは整数またはゼロであり、ｍは自然数であるホログラムの書き込みおよび読み出し装置。
【請求項１１】
請求項１０において、φがゼロまたはπであるホログラムの書き込みおよび読み出し装置。
【請求項１２】
請求項５において、前記検出器のピクセルが、それぞれ、前記ＳＬＭのピクセルよりも大きいホログラムの書き込みおよび読み出し装置。
【請求項１３】
請求項５において、前記ＳＬＭの各ピクセルが長さｘおよび幅ｙを有し、前記検出器の各ピクセルが、長さｘ／ｋおよび幅ｙ／ｐを有し、ただし、ｋおよびｐは、２以上の整数または非整数である、ホログラムの書き込みおよび読み出し装置。
【請求項１４】
均質化ホログラムを記録する方法であって、
位相モードで動作することができる空間光変調器（ＳＬＭ）を照射する工程であって、前記ＳＬＭが複数のピクセルを有し、このＳＬＭの各ピクセルが第１の状態および第２の状態のいずれかにある工程と、
前記ＳＬＭの選択されたピクセルの状態を制御可能に変化させて、前記ＳＬＭの各ピクセルから反射されるか、または前記ＳＬＭの各ピクセルを通って伝播される、光の波面の偏光を変化させ、出力ビームを形成する工程と、
前記出力ビームを偏光フィルタに導いて、前記ＳＬＭの各ピクセルから反射されるか、または前記ＳＬＭの各ピクセルを通って伝播される光の波面の位相を、前記ピクセルの状態に応じてφだけ変化させ、位相変調された物体光を生成する工程と、
前記位相変調された物体光を、前記ＳＬＭとホログラフィック記録媒体（ＨＲＭ）との間の前記物体光の経路に配置された第１のレンズ素子を通して導く工程であって、前記ＨＲＭが前記第１のレンズ素子のフーリエ変換平面またはその近傍に配置されている工程と、
参照光と前記位相変調された物体光とを前記ＨＲＭ内の選択された記憶場所において重ね合わせるように参照光をＨＲＭに導いて、前記ＨＲＭにおいて干渉パターンを生成してホログラムを記録する工程とを備えた、均質化ホログラムの記録方法。
【請求項１５】
請求項１４において、前記偏光フィルタが、偏光ビーム・スプリッタ、非偏光ビーム・スプリッタ、偏光子、波長板もしくはリターダ、またはこれらの組み合わせである均質化ホログラムの記録方法。
【請求項１６】
請求項１４において、１つ以上のホログラムが、１つ以上の多重化方法によって前記記憶場所に記録される均質化ホログラムの記録方法。
【請求項１７】
請求項１６において、前記記憶場所に記録されたホログラムが、角度多重化されているか、または角度多重と少なくとも１つの他の多重化方法との組み合わせによって多重化されている均質化ホログラムの記録方法。
【請求項１８】
請求項１７において、前記多重化ホログラムの記録に使用される参照光の間の角度が、ブラッグ角度選択性曲線の主回折ピークと第１の極小との間の角度の離間よりも小さい均質化ホログラムの記録方法。
【請求項１９】
請求項１６において、前記記憶場所に記録されたホログラムが、シフト多重化されているか、またはシフト多重化と少なくとも１つの他の多重化方法との組み合わせによって多重化されている均質化ホログラムの記録方法。
【請求項２０】
請求項１９において、前記ホログラフィック記録媒体の任意の方向の変位が、ブラッグ変位選択性曲線の主回折ピークと第１の極小との間の変位よりも小さい均質化ホログラムの記録方法。
【請求項２１】
請求項１６において、前記記憶場所に記録されたホログラムが、波長多重化されている均質化ホログラムの記録方法。
【請求項２２】
請求項１７において、前記多重化ホログラムの記録に使用される参照光の間の波長の差が、ブラッグ波長選択性曲線の主回折ピークと第１の極小との間の波長の離間よりも小さい均質化ホログラムの記録方法。
【請求項２３】
請求項１４において、φ＝２π×ｎ／ｍであり、ただし、ｎは整数またはゼロであり、ｍは自然数である均質化ホログラムの記録方法。
【請求項２４】
請求項２３において、φがゼロまたはπである均質化ホログラムの記録方法。
【請求項２５】
位相変調されたホログラムを読み出す方法であって、
参照光を位相変調フーリエ変換ホログラムまたは非整数次フーリエ変換ホログラムが記録されているホログラフィック記録媒体内の記憶場所に導いて、前記位相変調ホログラムを再生する工程であって、前記再生されたホログラムが、ピクセルのエッジの画像を含み、前記画像が異なる位相を有する光の波面によって記録されたピクセル間の変わり目に対応している工程と、
前記再生されたホログラムを、前記ピクセルのエッジを検出するのに十分な解像度を有する検出器によって検出する工程と、
前記ピクセルのエッジの画像にもとづいて、各ピクセルに「０」または「１」の値を割り当てる工程であって、前記画像が異なる位相を有する光の波面によって記録されたピクセル間の変わり目に対応している工程とを備えた位相変調ホログラムの読み出し方法。
【請求項２６】
請求項２５において、各ピクセルに「０」または「１」の値を割り当てる工程が、オーバーサンプリングを含み、前記ＳＬＭの各ピクセルが、前記検出器の２つ以上のピクセルによって検出される位相変調ホログラムの読み出し方法。
【請求項２７】
請求項２５において、各ピクセルに「０」または「１」の値を割り当てる工程が、画像処理を含む位相変調ホログラムの読み出し方法。
【請求項２８】
請求項２５において、各ピクセルに「０」または「１」の値を割り当てる工程が、前記再生されたホログラムの強度の勾配を検出する工程を含む位相変調ホログラムの読み出し方法。
【請求項２９】
請求項２５において、さらに、
前記検出器を前記検出器の平面内で平行移動させる工程を備えた位相変調ホログラムの読み出し方法。
【請求項３０】
請求項２５において、各ピクセルに「０」または「１」の値を割り当てる工程が、既知の状態のピクセルに対応する少なくとも１つの基準マークを検出し、検出した基準マークと比較して、各ピクセルに「０」または「１」の値を割り当てる位相変調ホログラムの読み出し方法。
【請求項３１】
ホログラムを読み出す方法であって、
参照光を位相変調フーリエ変換ホログラムまたは非整数次フーリエ変換ホログラムが記録されているホログラフィック記録媒体内の選択された記憶場所に導いて、第１の物体光を再生し、この第１の物体光を検出器に導く工程と、
均一なデータ・ページを表示している位相空間光変調器（ＳＬＭ）を照射して、第２の物体光を形成し、この第２の物体光を前記検出器に導いて、前記検出器において振幅変調データ・ページを再現する、前記第１の物体光と前記第２の物体光との間の干渉パターンを作り出す工程と、
前記振幅変調データ・ページを検出する工程とを備えたホログラムの読み出し方法。
【請求項３２】
請求項３１において、前記ＳＬＭの任意のピクセルから反射されるか、または前記ＳＬＭの任意のピクセルを通って伝播される光の波面が、φ＝０またはπの位相を有するホログラムの読み出し方法。
【請求項３３】
請求項３１において、前記第２の物体光の強度が、前記第１の物体光の強度と等しいホログラムの読み出し方法。
【請求項３４】
均質化ホログラムを記録する方法であって、
均一なデータ・ページのホログラムを記録する工程と、
同一記憶場所にフーリエ変換ホログラムまたは非整数次フーリエ変換ホログラムを記録する工程とを備えた均質化ホログラムの記録方法。
【請求項３５】
請求項３４において、前記フーリエ変換ホログラムまたは非整数次フーリエ変換ホログラムが、位相変調均質化ホログラムである均質化ホログラムの記録方法。
【請求項３６】
請求項３４において、ＳＬＭの任意のピクセルから反射されるか、またはＳＬＭの任意のピクセルを通って伝播される光の波面が、φ＝０またはπの位相を有する均質化ホログラムの記録方法。
【請求項３７】
請求項３５において、前記均一なデータ・ページのホログラムおよび前記均質化ホログラムが、同一の参照光を使用して記録される均質化ホログラムの記録方法。
【請求項３８】
請求項３５において、前記均一なデータ・ページのホログラムおよび前記均質化ホログラムが、同一の回折効率を有する均質化ホログラムの記録方法。
【請求項３９】
請求項３７において、第１の均一なデータ・ページのホログラムおよび第１の均質化ホログラムが、第１の参照光を使用して記録され、さらに第２の均一なデータ・ページのホログラムおよび第２の均質化ホログラムが、同一の記憶場所または重なり合った記憶場所に、第２の参照光を使用して記録される均質化ホログラムの記録方法。
【請求項４０】
請求項３５において、前記均一なデータ・ページのホログラムおよび前記位相変調均質化ホログラムが、同一回折効率で記録される均質化ホログラムの記録方法。
【請求項４１】
請求項３５において、前記均一なデータ・ページのホログラムおよび２つ以上の位相変調均質化ホログラムが、同一記憶場所に記録される均質化ホログラムの記録方法。
【請求項４２】
請求項３５において、前記均一なデータ・ページのホログラムおよび前記均質化ホログラムが、異なる参照光を使用して記録される均質化ホログラムの記録方法。
【請求項４３】
請求項４２において、前記均一なデータ・ページのホログラムおよび前記位相変調均質化ホログラムが、同一回折効率で記録される均質化ホログラムの記録方法。
【請求項４４】
請求項４２において、２つ以上の均質化ホログラムが記録され、各均質化ホログラムが異なる参照光で記録される均質化ホログラムの記録方法。
【請求項４５】
均質化ホログラムを読み出す方法であって、
位相変調フーリエ変換ホログラムまたは非整数次フーリエ変換ホログラムおよび均一な位相変調データ・ページ・ホログラムが同一参照光を使用して記録されているホログラフィック記録媒体内の選択された記憶場所に参照光を導いて、第１の均質化ホログラムの記録に使用された第１の物体光および前記均一なデータ・ページ・ホログラムの記録に使用された第２の物体光を再生し、振幅変調データ・ページを再現する、前記第１および第２の物体光の間の干渉パターンを作り出す工程と、
前記振幅変調データ・ページを光検出器で検出する工程とを備えた均質化ホログラムの読み出し方法。
【請求項４６】
均質化ホログラムを読み出す方法であって、
位相変調フーリエ変換ホログラムまたは非整数次フーリエ変換ホログラムおよび均一な位相変調データ・ページ・ホログラムが第１の参照光および第２の参照光を使用して記録されているホログラフィック記録媒体内の選択された記憶場所に第１の参照光を導いて、第１の位相変調フーリエ変換ホログラムまたは非整数次フーリエ変換ホログラムの記録に使用された第１の物体光を再生する工程と、
前記ホログラフィック記録媒体内の前記選択された記憶場所に前記第２の参照光を導いて、前記均一なデータ・ページの記録に使用された第２の物体光を再生し、振幅変調データ・ページを再現する、前記第１および第２の物体光の間の干渉パターンを作り出す工程と、
前記振幅変調データ・ページを光検出器で検出する工程とを備えた均質化ホログラムの読み出し方法。
【請求項４７】
請求項４６において、前記再生された第１および第２の物体光の強度が同一になるように、前記第１および第２の参照光の強度が調節される均質化ホログラムの読み出し方法。
【請求項４８】
請求項４６において、前記第１および第２の参照光の位相が同一である均質化ホログラムの読み出し方法。
【請求項４９】
指定されたコンテンツについてホログラフィック記録媒体を検索する方法であって、
選択されたコンテンツに対応する少なくとも１つの検索パターンを表示している空間光変調器（ＳＬＭ）を照射して、検索ビームを形成する工程と、
少なくとも１つの位相変調フーリエ変換ホログラムまたは非整数次フーリエ変換ホログラムが記録されているホログラフィック記録媒体上の１つ以上の記憶場所に前記検索ビームを導いて、前記１つ以上の記憶場所が前記検索パターンの選択されたコンテンツを含んでいる１つ以上の位相変調フーリエ変換ホログラムまたは非整数次フーリエ変換ホログラムを含む場合、少なくとも１つの再生された参照光を作り出す工程と、
前記少なくとも１つの再生された参照光を１つ以上の光検出器で検出する工程とを備えたホログラフィック記録媒体の検索方法。
【請求項５０】
請求項４９において、前記ＳＬＭは位相モードで動作することができるホログラフィック記録媒体の検索方法。
【請求項５１】
多重化ホログラムを記録する方法であって、
第１の位相変調フーリエ変換ホログラムまたは非整数次フーリエ変換ホログラムを、第１の参照光で記録する工程と、
第２の位相変調フーリエ変換ホログラムまたは非整数次フーリエ変換ホログラムを、第２の参照光で、ホログラフィック記録媒体上の同一記憶場所または重なり合った記憶場所に記録する工程とを備え、
前記第１および第２の参照光の間の角度が、前記第１または第２のホログラムのブラッグ角度選択性曲線の主回折ピークと第１の極小との間の角度の離間よりも小さい多重化ホログラムの記録方法。
【請求項５２】
請求項５１において、前記第１および第２の参照光の角度の離間が、前記第１または第２のホログラムのブラッグ角度選択性曲線の主回折ピークと第１の極小との間の角度の離間の約１／１０よりも小さい多重化ホログラムの記録方法。
【請求項５３】
多重化ホログラムを記録する方法であって、
第１の位相変調フーリエ変換ホログラムまたは非整数次フーリエ変換ホログラムを、第１の波長で記録する工程と、
第２の位相変調フーリエ変換ホログラムまたは非整数次フーリエ変換ホログラムを、第２の波長で、ホログラフィック記録媒体上の同一記憶場所または重なり合った記憶場所に記録する工程とを備え、
前記第１および第２の波長の間の差が、前記第１または第２のホログラムのブラッグ波長選択性曲線の主回折ピークと第１の極小との間の波長の離間よりも小さい多重化ホログラムの記録方法。
【請求項５４】
請求項５３において、前記第１および第２のホログラムの波長の離間が、前記第１または第２のホログラムのブラッグ波長選択性曲線の主回折ピークと第１の極小との間の波長の離間の約１／１０よりも小さい多重化ホログラムの記録方法。
【請求項５５】
指定されたコンテンツについてホログラフィック記録媒体を検索する方法であって、
位相モードで動作することができ、選択されたコンテンツに対応する少なくとも１つの検索パターンを表示している空間光変調器（ＳＬＭ）を照射して、検索ビームを形成する工程と、
少なくとも１つのフーリエ変換ホログラムまたは非整数次フーリエ変換ホログラムが記録されているホログラフィック記録媒体上の１つ以上の記憶場所に前記検索ビームを導いて、前記１つ以上の記憶場所が前記検索パターンの選択されたコンテンツを含んでいる１つ以上のフーリエ変換ホログラムまたは非整数次フーリエ変換ホログラムを含む場合、少なくとも１つの再生された参照光を作り出す工程と、
前記少なくとも１つの再生された参照光を１つ以上の光検出器で検出する工程とを備えたホログラフィック記録媒体の検索方法。
【請求項５６】
多重化ホログラムを記録する方法であって、
第１のフーリエ変換ホログラムまたは非整数次フーリエ変換ホログラムを、第１の参照光で記録する工程と、
第２のフーリエ変換ホログラムまたは非整数次フーリエ変換ホログラムを、第２の参照光で、ホログラフィック記録媒体上の同一記憶場所または重なり合った記憶場所に記録する工程とを備え、
前記第１および第２の参照光の間の角度が、前記第１または第２のホログラムのブラッグ角度選択性曲線の主回折ピークと第１の極小との間の角度の離間よりも小さい多重化ホログラムの記録方法。
【請求項５７】
請求項５６において、前記第１および第２の参照光の角度の離間が、前記第１または第２のホログラムのブラッグ角度選択性曲線の主回折ピークと第１の極小との間の角度の離間の約１／４よりも小さい多重化ホログラムの記録方法。
【請求項５８】
請求項５６において、前記記録された多重化ホログラムが、位相変調されたデータ・ページである多重化ホログラムの記録方法。
【請求項５９】
請求項５６において、前記第１および第２の参照光の角度の離間が、前記第１または第２のホログラムのブラッグ角度選択性曲線の主回折ピークと第１の極小との間の角度の離間の約１／１０よりも小さい多重化ホログラムの記録方法。
【請求項６０】
多重化ホログラムを記録する方法であって、
第１のフーリエ変換ホログラムまたは非整数次フーリエ変換ホログラムを、第１の波長で記録する工程と、
第２の位相変調フーリエ変換ホログラムまたは非整数次フーリエ変換ホログラムを、第２の波長で、ホログラフィック記録媒体上の同一記憶場所または重なり合った記憶場所に記録する工程とを備え、
前記第１および第２の波長の間の波長の差が、前記第１または第２のホログラムのブラッグ波長選択性曲線の主回折ピークと第１の極小との間の波長の離間よりも小さい多重化ホログラムの記録方法。
【請求項６１】
請求項６０において、前記記録された多重化ホログラムが、位相変調されたデータ・ページである多重化ホログラムの記録方法。
【請求項６２】
請求項６０において、前記第１および第２のホログラムの波長の離間が、前記第１または第２のホログラムのブラッグ波長選択性曲線の主回折ピークと第１の極小との間の波長の差の約１／４よりも小さい多重化ホログラムの記録方法。
【請求項６３】
請求項６０において、前記第１および第２のホログラムの波長の離間が、前記第１または第２のホログラムのブラッグ波長選択性曲線の主回折ピークと第１の極小との間の波長の差の約１／１０よりも小さい多重化ホログラムの記録方法。
【請求項６４】
請求項１において、前記ＳＬＭの各ピクセルが第１の状態および第２の状態の少なくともいずれかにあり、前記ＳＬＭの各ピクセルから反射されるか、または前記ＳＬＭの各ピクセルを通って伝播され、さらに偏光フィルタを通過する、光の波面の位相が、前記ピクセルの状態に応じてφ＝２π×ｎ／ｍだけ変化し、ただし、ｎは整数またはゼロであり、ｍは自然数であり、
さらに、第１の状態にあるピクセルの数が、第２の状態にあるピクセルの数と等しい、ホログラムの書き込みおよび読み出し装置。
【請求項６５】
請求項１において、前記参照光が位相変調されない、ホログラムの書き込みおよび読み出し装置。